(57)【要約】【課題】簡易カードの構成や使い勝手を見直すことにより、簡易カードと隠蔽はがきを備えた帳票を低コストで提供する。【解決手段】簡易カード１１ａがその外周縁のハーフカットｈｃ１で分離可能な簡易カード部１１、及び、隠蔽はがき本体となるの隠蔽はがき部１２を有する分離シート１０と、少なくとも一部に分離シート１０を再剥離再貼付可能な再剥離再貼付粘着層２５が形成され、簡易カード１１ａを貼り付けるカード台紙部２１、及び、隠蔽はがき本体に貼り合わされて、その記載事項を隠蔽する隠蔽片となる隠蔽片部２２を有する粘着シート２０と、簡易カード１１ａをその裏面の一部で仮止めするように、再剥離再貼付粘着層２５を部分的に被覆する粘着力調整部３１、及び、隠蔽片部２２の再剥離再貼付粘着層２５を被覆する剥離片となる剥離片部３２を有する中間シート３０とを備える。【選択図】        図１
2004160864.tif 000002
【特許請求の範囲】
【請求項１】
簡易カードがその外周縁のカット線で分離可能な簡易カード部、及び、隠蔽はがき本体となるの隠蔽はがき部を有する分離シートと、
少なくとも一部に前記分離シートを再剥離再貼付可能な再剥離再貼付粘着層が形成され、前記簡易カードを貼り付けるカード台紙部、及び、前記隠蔽はがき本体に貼り合わされて、その記載事項を隠蔽する隠蔽片となる隠蔽片部を有する粘着シートとを含み、
前記カード台紙部から前記カット線に沿って前記簡易カードを剥離できると共に、前記隠蔽はがき本体と前記隠蔽片とを貼り合わせて隠蔽はがきを作製できること、
を特徴とする簡易カードと隠蔽はがきを備えた帳票。
【請求項２】
請求項１に記載の簡易カードと隠蔽はがきを備えた帳票において、
前記分離シートと前記粘着シートとの間に配置された中間シートを備え、
前記中間シートは、前記隠蔽片部の再剥離再貼付粘着層を被覆する剥離片となる剥離片部を有すること、
を特徴とする簡易カードと隠蔽はがきを備えた帳票。
【請求項３】
請求項２に記載の簡易カードと隠蔽はがきを備えた帳票において、
前記剥離片部は、記入方法及び／又は使用方法を記載する記載欄を有すること、
を特徴とする簡易カードと隠蔽はがきを備えた帳票。
【請求項４】
請求項２に記載の簡易カードと隠蔽はがきを備えた帳票において、
前記粘着シートは、前記剥離片部を剥離した位置の、前記再剥離再貼付粘着層面に、チェック欄が形成されていること、
を特徴とする簡易カードと隠蔽はがきを備えた帳票。
【請求項５】
請求項１に記載の簡易カードと隠蔽はがきを備えた帳票において、
前記分離シートと前記粘着シートとの間に配置された中間シートを備え、
前記中間シートは、前記簡易カードをその裏面の一部で仮止めするように、前記カード台紙部の再剥離再貼付粘着層を部分的に被覆する粘着力調整部を有すること、
を特徴とする簡易カードと隠蔽はがきを備えた帳票。
【請求項６】
請求項５に記載の簡易カードと隠蔽はがきを備えた帳票において、
前記粘着力調整部は、前記カード台紙部から剥離され、情報伝達片となること、
を特徴とする簡易カードと隠蔽はがきを備えた帳票。
【請求項７】
請求項１に記載の簡易カードと隠蔽はがきを備えた帳票において、
前記隠蔽片は、予め前記隠蔽はがき本体の表面と貼り合わされており、前記隠蔽はがき本体の裏面の記入欄に記入後に、その裏面の貼り替えること、
を特徴とする簡易カードと隠蔽はがきを備えた帳票。
【発明の詳細な説明】
【０００１】
【発明の属する技術分野】
本発明は、仮に発行される「簡易カード」と、申込内容を隠蔽して郵送できる「隠蔽はがき」が必要な入会申込書などに好適に使用される簡易カードと隠蔽はがきを備えた帳票に関するものである。
【０００２】
【従来の技術】従来、簡易カードは、積層した擬似接着フィルムを利用して形成されていた（例えば、特許文献１）。
【０００３】
一方、申込はがきは、冊子の中に封入されているため、簡単に即利用でき、非常に簡便であるため、例えば、旅先で記入してそのままポストに投函する、といった気軽な利用法が受け、様々な業種で幅広く利用されている（例えば、特許文献２）。
【０００４】
【特許文献１】
特開平６−３１６１８９号公報
【特許文献２】
特開平９−２２０８８２号公報
【０００５】
【発明が解決しようとする課題】
しかし、前述した従来の簡易カードは、まさに、簡便であるもののコストが高いという課題があり、一部仕様については、紙の一部をミシン目で切り取る構成となっていた。
ミシン目で切り取る場合、カードライクさを出すために、例えば、申込書全体を厚紙にしなくてはならず、無駄なコストを要するという問題に加え、ミシン目を切り取る際に多くの紙粉を生じることや、切り取り時に意図しない形状に破れてしまったりするために、簡易カードを機械的に読み取りする場合等に、機械内部の搬送系に紙粉が溜まったり、詰まったりするという問題があるため、利用できなかった。
【０００６】
一方、申込はがきは、郵便料金の安いはがきを利用していることから、申込内容として記入した個人情報が外部から丸見えであり、これが申込者の申込意欲を萎縮させ、サービス申込の低下となっていた。
【０００７】
本発明の課題は、簡易カードの構成や使い勝手を見直すことにより、簡易カードと隠蔽はがきを備えた帳票を低コストで提供することである。
【０００８】
【課題を解決するための手段】
前記課題を解決するために、請求項１の発明は、簡易カードがその外周縁のカット線で分離可能な簡易カード部、及び、隠蔽はがき本体となるの隠蔽はがき部を有する分離シートと、少なくとも一部に前記分離シートを再剥離再貼付可能な再剥離再貼付粘着層が形成され、前記簡易カードを貼り付けるカード台紙部、及び、前記隠蔽はがき本体に貼り合わされて、その記載事項を隠蔽する隠蔽片となる隠蔽片部を有する粘着シートとを含み、前記カード台紙部から前記カット線に沿って前記簡易カードを剥離できると共に、前記隠蔽はがき本体と前記隠蔽片とを貼り合わせて隠蔽はがきを作製できること、を特徴とする簡易カードと隠蔽はがきを備えた帳票である。
【０００９】
請求項２の発明は、請求項１に記載の簡易カードと隠蔽はがきを備えた帳票において、前記分離シートと前記粘着シートとの間に配置された中間シートを備え、前記中間シートは、前記隠蔽片部の再剥離再貼付粘着層を被覆する剥離片となる剥離片部を有すること、を特徴とする簡易カードと隠蔽はがきを備えた帳票である。
【００１０】
請求項３の発明は、請求項２に記載の簡易カードと隠蔽はがきを備えた帳票において、前記剥離片部は、記入方法及び／又は使用方法を記載する記載欄を有すること、を特徴とする簡易カードと隠蔽はがきを備えた帳票である。
【００１１】
請求項４の発明は、請求項２に記載の簡易カードと隠蔽はがきを備えた帳票において、前記粘着シートは、前記剥離片部を剥離した位置の、前記再剥離再貼付粘着層面に、チェック欄が形成されていること、を特徴とする簡易カードと隠蔽はがきを備えた帳票である。
【００１２】
請求項５の発明は、請求項１に記載の簡易カードと隠蔽はがきを備えた帳票において、前記分離シートと前記粘着シートとの間に配置された中間シートを備え、前記中間シートは、前記簡易カードをその裏面の一部で仮止めするように、前記カード台紙部の再剥離再貼付粘着層を部分的に被覆する粘着力調整部を有すること、を特徴とする簡易カードと隠蔽はがきを備えた帳票である。
【００１３】
請求項６の発明は、請求項５に記載の簡易カードと隠蔽はがきを備えた帳票において、前記粘着力調整部は、前記カード台紙部から剥離され、情報伝達片となること、を特徴とする簡易カードと隠蔽はがきを備えた帳票である。
【００１４】
請求項７の発明は、請求項１に記載の簡易カードと隠蔽はがきを備えた帳票において、前記隠蔽片は、予め前記隠蔽はがき本体の表面と貼り合わされており、前記隠蔽はがき本体の裏面の記入欄に記入後に、その裏面の貼り替えること、を特徴とする簡易カードと隠蔽はがきを備えた帳票である。
【００１５】
【発明の実施の形態】
以下、図面等を参照して、本発明の実施の形態について、さらに詳しく説明する。
（第１実施形態）
図１は、本発明による簡易カードと隠蔽はがきを備えた帳票の第１実施形態を示す図である。
第１実施形態の帳票１は、分離シート１０と、粘着シート２０と、中間シート３０とを備えており、分離シート１０、中間シート３０、粘着シート２０がこの順に下から積層され、接着層ｓ１，ｓ２，ｓ３で端部が接着された冊子になっている。
【００１６】
分離シート１０は、図１（ａ）に示すように、１１０Ｋｇ上質紙からなる厚手のシートであり、簡易カード部１１と隠蔽はがき部１２とを備えている。簡易カード部１１と隠蔽はがき部１２とは、ミシン目ｍで分離するように区画されている。
簡易カード部１１は、簡易カード１１ａがその外周縁のハーフカットｈｃ１で分離可能な部分であり、簡易カード１１ａには、バーコードｂｃが形成されている。
なお、簡易カード部１１は、経時変化等により後述する再剥離再貼付粘着剤がカード面へ移行しないように、同粘着剤と接する部分の最表面に、ＯＰ印刷を施しておくとよい。このＯＰ印刷は、ＵＶインキ等で効果的に設けることができ、必要に応じてシリコーン等の剥離成分を適宜添加しておくことも可能である。
隠蔽はがき部１２は、隠蔽はがき本体となる部分であり、隠蔽はがき部１２には、申込記入欄１２ａやバーコードｂｃが形成されている。
【００１７】
粘着シート２０は、図１（ｃ）に示すように、７０Ｋｇコート紙からなり、カード台紙部２１と、隠蔽片部２２と、情報記載片部２３，２４などを備えている。カード台紙部２１と隠蔽片部２２とは、ハーフカットｈｃ２で分離するように区画されている。
【００１８】
また、粘着シート２０は、少なくとも一部（この実施形態では、カード台紙部２１及び隠蔽片部２２の裏面）には、分離シート１０を再剥離再貼付可能な再剥離再貼付粘着層２５が形成されている。
この粘着シート２０の隠蔽片部２２には、図１（ｄ）に示すように、後述する剥離片部３２を剥離した位置の、再剥離再貼付粘着層面２５に、チェック欄２２ａが形成されている。
【００１９】
カード台紙部２１は、簡易カード１１ａを貼り付ける部分であり、例えば、返送時の注意などが図解されている。
隠蔽片部２２は、隠蔽はがき本体に貼り合わされて、その記載事項を隠蔽する隠蔽片となる部分である。
【００２０】
中間シート３０は、図１（ｂ）に示すように、４５Ｋｇ上質紙からなり、分離シート１０と粘着シート２０との間に配置されたシートである。この中間シート３０は、粘着力調整部３１と剥離片部３２とを備えており、粘着力調整部３１と剥離片部３２とは、ハーフカットｈｃ３で分離するように区画されている。
【００２１】
粘着力調整部３１は、簡易カード１１ａを、その裏面の一部で仮止めするように、カード台紙部２１の再剥離再貼付粘着層２５を部分的に被覆する部分であり型抜き部３１ａの大きさを変えることにより、粘着力を調整することができる。この粘着力調整部３１は、カード台紙部２１から剥離され、情報伝達片となる。つまり、粘着力調整部３１には、キャンペーン用のＵＲＬや電話番号などを印刷しておき（情報伝達片）、簡易カード１１ａを剥がした後で、剥がせるようにしておけばよい。
【００２２】
剥離片部３２は、隠蔽片部２２の再剥離再貼付粘着層２５を被覆する剥離片となる部分である。剥離片部３２は、図１（ｄ）に示すように、記入例や使用方法を記載した記載欄が設けられている。
【００２３】
以上説明したように、第１実施形態の帳票１は、カード台紙部２１からハーフカットｈｃ１に沿って簡易カード１１ａを剥離できると共に、隠蔽はがき本体と隠蔽片とを貼り合わせて隠蔽はがきを作製できる。
このとき、中間シート３０の型抜き部（カード上辺部）３１ａを通じて、分離シート１０と粘着シート２０とが、剥離可能な状態で接着され、分離シート１０は、カード形状のハーフカットｈｃ１が設けられているので、従来のような、擬似接着フィルムとミシン目によるカードをなくした形態にすることができる。
【００２４】
（第２実施形態）
図２は、本発明による簡易カードと隠蔽はがきを備えた帳票の第２実施形態を示す図である。
なお、前述した第１実施形態と同様な機能を果たす部分には、同一の符号を付して、重複する説明を適宜省略する。
【００２５】
第２実施形態の帳票２は、分離シート１０と粘着シート２０とが、この順に下から積層されたものであり、中間シート３０を省いたものである。
【００２６】
隠蔽片部２２は、図２（ｃ）に示すように、予め隠蔽はがき本体１２の表面と貼り合わされており、隠蔽はがき本体１２Ａの裏面の記入欄１２ａに記入後に、図２（ｄ）に示すように、隠蔽はがき本体１２Ａの裏面の貼り替えるようにしたものである。
【００２７】
第２実施形態の帳票２は、ハーフカットｈｃ１に沿って、簡易カード１１ａ剥がして利用する。
また、申込事項を記入欄１２ａ記入したら、図２（ｄ）に示すように、ミシン目ｍで切り取って一旦剥がして、隠蔽はがき本体１２Ａの表裏を逆にして再度貼り込み、隠蔽はがきとして投函する。
【００２８】
【発明の効果】
以上詳しく説明したように、本発明によれば、簡易カードは、ミシン目による切り取りが不要で、かつ、その簡易カードの一部が、再剥離再貼付可能な粘着剤にて貼り合わせられている。
また、同一平面上に延伸して設けられた再剥離再貼付粘着剤は、隠蔽はがき本体の記載内容を隠蔽するための隠蔽片に使用できる。
したがって、簡易カードの構成や使い勝手を見直すことにより、簡易カードと隠蔽はがきを備えた帳票を低コストで提供することができた。
【図面の簡単な説明】
【図１】本発明による簡易カードと隠蔽はがきを備えた帳票の第１実施形態を示す図である。
【図２】本発明による簡易カードと隠蔽はがきを備えた帳票の第２実施形態を示す図である。
【符号の説明】
１０  分離シート
１１  簡易カード部
１１ａ  簡易カード
１２  隠蔽はがき部
２０  粘着シート
２１  カード台紙部
２２  隠蔽片部
２３，２４  情報記載片部
２５  再剥離再貼付粘着層
３０  中間シート
３１  粘着力調整部
３２  剥離片部
【図１】
2004160864.tif 000003
【図２】
2004160864.tif 000004